(57)【要約】【課題】小型化可能なロードセルユニットおよび秤装置を提供する。【解決手段】ロードセルユニットは、ロードセルと、上側制限部と、下側制限部と、被制限部と、過荷重調節部と、逆さ落下衝撃調節部と、を備える。ロードセルは、基部に固定される固定部と、計量対象の荷重を受ける可動部と、を有し、荷重を受けると変形する。上側制限部および下側制限部は、前記基部に対して固定的に設けられていて、下側制限部は、前記上側制限部の下に間隔をあけて配されている。被制限部は、前記可動部に対して固定的に設けられ、前記上側制限部と前記下側制限部との間に位置し、前記上側制限部および前記下側制限部と所定の隙間を介して対向する。過荷重調節部は、前記下側制限部との距離を変更自在に、前記被制限部に取り付けられている。逆さ落下衝撃調節部は、前記被制限部との距離を変更自在に、前記上側制限部に取り付けられている。【選択図】図４
2017102128.tif 000002
【特許請求の範囲】
【請求項１】
基部に固定される固定部と、計量対象の荷重を受ける可動部と、を有し、荷重を受けると変形するロードセルと、
前記基部に対して固定的に設けられた上側制限部と、
前記基部に対して固定的に設けられ、前記上側制限部の下に間隔をあけて配された下側制限部と、
前記可動部に対して固定的に設けられ、前記上側制限部と前記下側制限部との間に位置し、前記上側制限部および前記下側制限部と所定の隙間を介して対向する被制限部と、
前記下側制限部との距離を変更自在に、前記被制限部に取り付けられた過荷重調節部と、
前記被制限部との距離を変更自在に、前記上側制限部に取り付けられた逆さ落下衝撃調節部と、
を備えるロードセルユニット。
【請求項２】
前記上側制限部は、前記過荷重調節部の上端を露出させる貫通孔を有している
請求項１に記載のロードセルユニット。
【請求項３】
前記被制限部は、前記固定部から遠ざかる側へ向かって前記可動部から突出している
請求項１または２に記載のロードセルユニット。
【請求項４】
前記被制限部は、前記可動部の端から水平方向に延出する
請求項１〜３のいずれか１つに記載のロードセルユニット。
【請求項５】
前記過荷重調節部および前記逆さ落下衝撃調節部の両方または一方は、取り付け相手と螺合する螺子である
請求項１〜４のいずれか１つに記載のロードセルユニット。
【請求項６】
請求項１〜５のいずれか１つに記載のロードセルユニットと、
前記ロードセルユニットに連結され、計量対象が載置される上皿と、
前記ロードセルユニットからの出力に基づいて前記計量対象の重さを算出する制御部と、
を備える秤装置。
【発明の詳細な説明】
【技術分野】
【０００１】
本発明の実施形態は、ロードセルユニットおよび秤装置に関する。
【背景技術】
【０００２】
従来、ロードセルを備える秤装置は、ロードセルが過荷重により塑性変形を起こさないよう、過荷重を食い止めるストッパーを備えている。また、秤装置は、秤装置が逆さ落下した場合に、ロードセルが衝撃により塑性変形を起こさないようにするストッパーをも、一般に備えている。
【０００３】
ストッパーは、例えば、ロードセルの荷重により変位する可動部の対象部位に、所定寸法の隙間を介して対向することにより、可動部の過剰な変位を制限するように配されている。上述の２種類のストッパーは、可動部のそれぞれ逆方向の変位を制限する。
【０００４】
このようなストッパーは、少なくとも、ロードセルの対象部位に対して距離を調節自在な調節部と、当該調節部を保持し、基部に対して不動な保持部とを要する。そして、従来、過荷重用のストッパーと逆さ落下衝撃用のストッパーとを別々に設けているので、それぞれに調節部と保持部とを要している。このため、部品点数が多くなり、延いては装置の大型化を招いている。
【発明の概要】
【発明が解決しようとする課題】
【０００５】
本発明が解決しようとする課題は、小型化可能なロードセルユニットおよび秤装置を提供することである。
【課題を解決するための手段】
【０００６】
実施形態のロードセルユニットは、ロードセルと、上側制限部と、下側制限部と、被制限部と、過荷重調節部と、逆さ落下衝撃調節部と、を備える。ロードセルは、基部に固定される固定部と、計量対象の荷重を受ける可動部と、を有し、荷重を受けると変形する。上側制限部および下側制限部は、前記基部に対して固定的に設けられていて、下側制限部は、前記上側制限部の下に間隔をあけて配されている。被制限部は、前記可動部に対して固定的に設けられ、前記上側制限部と前記下側制限部との間に位置し、前記上側制限部および前記下側制限部と所定の隙間を介して対向する。過荷重調節部は、前記下側制限部との距離を変更自在に、前記被制限部に取り付けられている。逆さ落下衝撃調節部は、前記被制限部との距離を変更自在に、前記上側制限部に取り付けられている。
【０００７】
また、実施形態の秤装置は、上述のロードセルユニットと、前記ロードセルユニットに連結され、計量対象が載置される上皿と、前記ロードセルユニットからの出力に基づいて前記計量対象の重さを算出する制御部と、を備える。
【図面の簡単な説明】
【０００８】
【図１】図１は、実施形態の秤装置の外観を示す斜視図である。
【図２】図２は、実施形態の秤装置の構成を示す断面図である。
【図３】図３は、実施形態の本体が備えるフレームの外観を示す斜視図である。
【図４】図４は、実施形態のロードセルユニットの構成を示す断面図である。
【発明を実施するための形態】
【０００９】
実施形態について図面を用いて説明する。図１は、秤装置１の外観を示す斜視図である。図２は、秤装置１の構成を示す断面図である。秤装置１は、まず図１に示すように、本体２、上皿３、操作表示パネル４、および客用パネル５を備えている。また、秤装置１は、図２に示すように、概ね直方体の箱状をなす本体２内に、ロードセルユニット６および制御部７を備えている。
【００１０】
上皿３は、略水平に設置され、計量対象が載せられる台である。上皿３にかかる荷重は、ロードセルユニット６が備えるロードセル６１に、伝えられる。ロードセル６１は、上皿３にかかる荷重を受けて、荷重に応じた信号を出力する。該出力に基づいて、制御部７は、荷重の値を算出する。
【００１１】
操作表示パネル４は、操作部４１および表示部４２を有する。操作部４１は、例えばキーボードである。表示部４２は、例えば液晶パネルである。操作表示パネル４は、操作部４１により店員による操作を受け付けるとともに、表示部４２により店員を対象とした各種情報を表示する。
【００１２】
客用パネル５は、操作部および表示部（いずれも不図示）を有する。操作部は、例えばキーボードである。表示部は、例えば液晶パネルである。客用パネル５は、操作部により客による操作を受け付けるとともに、表示部により客を対象とした各種情報を表示する。なお、客用パネル５は、操作部を有しない表示専用のものであってもよい。
【００１３】
図３は、本体２が備えるフレーム２１の外観を示す斜視図である。フレーム２１は、本体２の骨組であって、基部となる部材である。フレーム２１は、枠状の土台２１１、該土台２１１に立てられた柱２１２、および、該柱２１２の上に固定された平面状の天板２１３、により構成される。天板２１３は、上皿３の直下に位置する。本体２は、フレーム２１に側壁２２（図１参照）などの部材を固定して構成される。
【００１４】
図４は、ロードセルユニット６の構成を示す断面図である。ロードセルユニット６は、ロードセル６１、被制限部６２、下側制限部６３、上側制限部６４、過荷重調節部６５、および逆さ落下衝撃調節部６６を備えている。
【００１５】
ロードセル６１は、ビーム型、シングルポイント型などと呼ばれるものであって、横長のブロックの中央部に孔を有する形状をなし、一端側に固定部６１１を、他端側に可動部６１２を有し、さらに、不図示のひずみゲージを有している。
【００１６】
固定部６１１は、フレーム２１の天板２１３の下面に、螺子止めにより固定されている。ここで、天板２１３の上面には、補強板２３が取り付けられている。補強板２３は、長方形の板金であって、天板２１３を上面から補強している。固定部６１１は、補強板２３の上面側から差し込まれる螺子２４と螺合する。
【００１７】
可動部６１２は、上皿３にかかる荷重を受ける箇所である。ひずみゲージは、ロードセル６１の荷重に応じて変形する部分に貼付されていて、変形すると抵抗値が変化する。ロードセル６１は、ひずみゲージの抵抗値の変化に応じた信号を出力する。
【００１８】
被制限部６２は、可動部６１２に対して固定的つまり位置不動に設けられた部材であって、例えば、可動部６１２の上面に固定された板金である。被制限部６２は、可動部６１２の端から、平面視において突出する。より詳細には、被制限部６２は、固定部６１１から遠ざかる方向へ向かって可動部６１２から突出している。さらに、被制限部６２は、可動部６１２の端から概ね水平方向に延出している。
【００１９】
下側制限部６３は、フレーム２１（基部）に対して固定的に設けられ、被制限部６２の下面に所定の隙間を介して対向する。より詳細には、下側制限部６３は、曲げ板金６７の一端部である。曲げ板金６７には、Ｚ曲げ（あるいは段曲げ）と呼ばれる加工が施されている。曲げ板金６７の他端部は、フレーム２１の下面に固定されている。
【００２０】
上側制限部６４は、フレーム２１の被制限部６２の上面に対向する部分である。つまり、フレーム２１（基部）に対して固定的に設けられ、被制限部６２の上面に所定の隙間を介して対向する。
【００２１】
上述のように、下側制限部６３と上側制限部６４とは、いずれもフレーム２１に対して固定的に設けられていて、また互いに近接していて、言い換えれば、一体化している。そして、被制限部６２は、間隔をあけて配されている上側制限部６４と下側制限部６３との間に位置し、且つ、上側制限部６４および下側制限部６３の各々と、所定寸法の隙間を介して対向する。
【００２２】
過荷重調節部６５は、下側制限部６３との距離を変更自在に、被制限部６２に取り付けられている。より詳細には、過荷重調節部６５は、例えば、雄螺子であって、被制限部６２に形成された雌螺子と螺合する。なお、フレーム２１および補強板２３の上側制限部６４に該当する位置には、過荷重調節部６５である螺子の上端部が露出可能な孔６４ａが、形成されている。
【００２３】
逆さ落下衝撃調節部６６は、被制限部６２との距離を変更自在に、上側制限部６４に取り付けられている。より詳細には、逆さ落下衝撃調節部６６は、例えば、雄螺子であって、上側制限部６４に形成された雌螺子と螺合する。
【００２４】
可動部６１２には、上皿３が間接的に連結されている。可動部６１２と上皿３との間には、ブロック３１、皿受けフレーム３２、および皿受けゴム３３が配されている。
【００２５】
ブロック３１は、可動部６１２の上面に螺子止め固定されている。また、ブロック３１は、図３に示すようにフレーム２１に形成された孔２１ａと干渉し、可動部６１２の横移動範囲を制限する。
なお、孔２１ａと孔６４ａとは、連続している。
【００２６】
皿受けフレーム３２は、ブロック３１の上に、概ね水平に保たれるよう固定されている。上皿３は、皿受けフレーム３２の上を覆う。皿受けゴム３３は、皿受けフレーム３２と上皿３との間の複数個所に配されている。
【００２７】
このような構成において、秤装置１は、上皿３に計量対象が載せられると、上皿３、皿受けフレーム３２、皿受けゴム３３、ブロック３１を介して、可動部６１２が荷重を受ける。すると、荷重によるひずみゲージの変形に応じた信号をロードセル６１が制御部７へと出力する。そして、制御部７が、ロードセル６１からの出力に基づいて、荷重の値を算出する。
【００２８】
過荷重調節部６５は、ロードセル６１が、計量状態で過剰な荷重を受けることを防止する。過剰とする荷重の制限値の調節は、過荷重調節部６５と被制限部６２との螺合位置を変更することによって、行われる。言い換えると、過荷重調節部６５の下端と、下側制限部６３の上面と、の間の距離を調節することによって、行われる。該調節作業は、孔６４ａを介して、フレーム２１および補強板２３の上から容易に行うことが可能である。
【００２９】
可動部６１２が荷重を受けて下方へ移動すると、過荷重調節部６５も下方へ移動する。過荷重調節部６５は、下端が下側制限部６３の上面に到達すると、それ以上移動できなくなる。これにより、可動部６１２の移動が制限されて、ロードセル６１が過剰な荷重を受けることが防止される。
【００３０】
逆さ落下衝撃調節部６６は、秤装置１が逆さ落下した場合に、ロードセル６１が、計量時とは逆方向の過剰な荷重を受けることを防止する。過剰とする荷重の制限値の調節は、逆さ落下衝撃調節部６６と上側制限部６４との螺合位置を変更することによって、行われる。言い換えると、逆さ落下衝撃調節部６６の下端と、被制限部６２の上面と、の間の距離を調節することによって、行われる。
【００３１】
秤装置１が逆さ落下による衝撃を受けると、可動部６１２は、図４中における上方へ移動する。被制限部６２は、上面が逆さ落下衝撃調節部６６の下端に到達すると、それ以上移動できなくなる。これにより、可動部６１２の移動が制限されて、ロードセル６１が計量時とは逆方向の過剰な荷重を受けることが防止される。
【００３２】
このように、本実施形態によれば、過荷重および逆さ落下衝撃からロードセル６１を保護するストッパーの設置位置をまとめ、構成部品を整理し、共通化したことにより、部品点数を減らすことができ、また、設置範囲を狭めることができ、延いては秤装置１を小型化することができる。つまり、本実施形態により、省スペース化が可能となる。
【００３３】
なお、上記実施形態では、被制限部６２と可動部６１２とを別部材としたが、実施にあたっては、例えば可動部６１２の所定箇所を被制限部とするなど、被制限部６２と可動部６１２とが同一部材であってもよい。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１…秤装置、
２…本体、
２１…フレーム、２１ａ…孔、
２１１…土台、２１２…柱、２１３…天板、
２２…側壁、
２３…補強板、
２４…螺子、
３…上皿、
３１…ブロック、３２…皿受けフレーム、３３…皿受けゴム、
４…操作表示パネル、
４１…操作部、４２…表示部、
５…客用パネル、
６…ロードセルユニット、
６１…ロードセル、
６１１…固定部、６１２…可動部、
６２…被制限部、
６３…下側制限部、
６４…上側制限部、６４ａ…孔、
６５…過荷重調節部、
６６…逆さ落下衝撃調節部、
６７…曲げ板金、
７…制御部。
【先行技術文献】
【特許文献】
【００３６】
【特許文献１】特開２００２−９８５９７号公報
【図１】
2017102128.tif 000003
【図２】
2017102128.tif 000004
【図３】
2017102128.tif 000005
【図４】
2017102128.tif 000006
【手続補正書】
【提出日】平成29年3月2日(2017.3.2)
【手続補正１】
【補正対象書類名】明細書
【補正対象項目名】０００６
【補正方法】変更
【補正の内容】
【０００６】
実施形態のロードセルユニットは、ロードセルと、ブロックと、上側制限部と、下側制限部と、被制限部と、過荷重調節部と、逆さ落下衝撃調節部と、を備える。ロードセルは、基部に固定される固定部と、計量対象の荷重を受ける可動部と、を有し、荷重を受けると変形する。ブロックは、前記可動部の上面に着脱自在に取り付けられている。上側制限部は、前記基部に対して固定的に設けられ、貫通孔を有し、当該貫通孔の縁が、前記可動部に取り付けられた前記ブロックの側面に干渉して前記可動部の横移動範囲を制限する。下側制限部は、前記基部に対して固定的に設けられ、前記上側制限部の下に間隔をあけて配されている。被制限部は、前記可動部に対して固定的に設けられ、前記上側制限部と前記下側制限部との間に位置し、前記上側制限部および前記下側制限部と所定の隙間を介して対向する。過荷重調節部は、前記上側制限部が有する前記貫通孔の上から前記下側制限部との距離を変更自在に調節可能に、前記被制限部に取り付けられている。逆さ落下衝撃調節部は、前記過荷重調節部と平面視において重ならない位置に設けられ、前記上側制限部の上からの調節によって前記被制限部との距離を変更自在に、前記上側制限部に取り付けられている。
【手続補正２】
【補正対象書類名】特許請求の範囲
【補正対象項目名】全文
【補正方法】変更
【補正の内容】
【特許請求の範囲】
【請求項１】
基部に固定される固定部と、計量対象の荷重を受ける可動部と、を有し、荷重を受けると変形するロードセルと、
前記可動部の上面に着脱自在に取り付けられたブロックと、
前記基部に対して固定的に設けられ、貫通孔を有し、当該貫通孔の縁が、前記可動部に取り付けられた前記ブロックの側面に干渉して前記可動部の横移動範囲を制限する上側制限部と、
前記基部に対して固定的に設けられ、前記上側制限部の下に間隔をあけて配された下側制限部と、
前記可動部に対して固定的に設けられ、前記上側制限部と前記下側制限部との間に位置し、前記上側制限部および前記下側制限部と所定の隙間を介して対向する被制限部と、
前記上側制限部が有する前記貫通孔の上から前記下側制限部との距離を変更自在に調節可能に、前記被制限部に取り付けられた過荷重調節部と、
前記過荷重調節部と平面視において重ならない位置に設けられ、前記上側制限部の上からの調節によって前記被制限部との距離を変更自在に、前記上側制限部に取り付けられた逆さ落下衝撃調節部と、
を備えるロードセルユニット。
【請求項２】
前記過荷重調節部と前記逆さ落下衝撃調節部とは、前記固定部から前記可動部へ向かう方向に沿ってずれた位置に配置されている
請求項１に記載のロードセルユニット。
【請求項３】
前記被制限部は、前記固定部から遠ざかる側へ向かって前記可動部から突出している
請求項１または２に記載のロードセルユニット。
【請求項４】
前記被制限部は、前記可動部の端から水平方向に延出する
請求項１〜３のいずれか１つに記載のロードセルユニット。
【請求項５】
前記過荷重調節部および前記逆さ落下衝撃調節部の両方または一方は、取り付け相手と螺合する螺子である
請求項１〜４のいずれか１つに記載のロードセルユニット。
【請求項６】
請求項１〜５のいずれか１つに記載のロードセルユニットと、
前記ロードセルユニットに連結され、計量対象が載置される上皿と、
前記ロードセルユニットからの出力に基づいて前記計量対象の重さを算出する制御部と、
を備える秤装置。